(57)【要約】  本開示の実施形態は、リソース割り当て方法および装置を提供する。当該方法は、送信側装置からのリソース設定情報を受信することを含み、前記リソース設定情報は、設定されたリソースのうち、使用を取り消される必要のあるリソースを決定するように前記受信側装置に使用される。
2022501942.tif 000002
【特許請求の範囲】
【請求項１】
受信側装置に適用されるリソース割り当て方法であって、前記リソース割り当て方法は、
送信側装置からのリソース設定情報を受信することを含み、前記リソース設定情報は、設定されたリソースのうち、使用を取り消される必要のあるリソースを決定するように前記受信側装置に使用される、方法。
【請求項２】
前記使用を取り消される必要のあるリソースは、前記設定されたリソースのうち、前記受信側装置への設定が取り消されるリソースであり、
前記リソース設定情報は、
前記受信側装置への設定が取り消される時間領域リソースおよび／または周波数領域リソースを示すための情報、
前記受信側装置への設定が取り消されるリソースの開始時刻または終了時刻を示すための情報、
前記受信側装置への設定が取り消されるリソースに対応するリソースサイクルの数を示すための情報、
前記受信側装置への設定が取り消されるリソースの数を示すための情報、
前記受信側装置への設定が取り消されるリソースによって占有されるシンボルまたはタイムスロットの数を示すための情報、および、
前記受信側装置への設定が取り消されるリソースによって占有されるシンボルが配置されている帯域幅部パートＢＷＰまたはキャリアを示すための情報、の少なくとも１つを含む、請求項１に記載の方法。
【請求項３】
前記リソース設定情報は、前記送信側装置が使用を取り消すリソースを示すためであり、
前記リソース設定情報は、
前記送信側装置が使用を取り消す時間領域リソースおよび／または周波数領域リソースを示すための情報、
前記送信側装置が使用を取り消すリソースの開始時刻または終了時刻を示すための情報、
前記送信側装置が使用を取り消すリソースに対応するリソースサイクルの数を示すための情報、
前記送信側装置が使用を取り消すリソースの数を示すための情報、
前記送信側装置が使用を取り消すリソースによって占有されるシンボルまたはタイムスロットの数を示すための情報、および、
前記送信側装置が使用を取り消すリソースによって占有されるシンボルが配置されている帯域幅部パートＢＷＰまたはキャリアを示すための情報、の少なくとも１つを含む、請求項１に記載の方法。
【請求項４】
前記使用を取り消される必要のあるリソースは、目標ハイブリッド自動再送要求ＨＡＲＱプロセスに割り当てられている、請求項１に記載の方法。
【請求項５】
前記リソース設定情報は、前記目標ＨＡＲＱプロセスのシーケンス番号を示すための情報を含む、請求項４に記載の方法。
【請求項６】
前記使用を取り消される必要のあるリソースは、前記設定されたリソースのうち、シフトする必要のあるリソースであり、
前記リソース設定情報は、
シフトする必要のある時間領域リソースおよび／または周波数領域リソースを示すための情報、
シフトする必要のあるリソースの開始時刻または終了時刻を示すための情報、
シフトする必要のあるリソースのシフト先の時間領域リソースまたは周波数領域リソースを示すための情報、
シフトする必要のあるリソースに対応するリソースサイクルの数を示すための情報、
シフトする必要のあるリソースの数を示すための情報、
シフトする必要のあるリソースによって占有されるシンボルまたはタイムスロットの数を示すための情報、および、
シフトする必要のあるリソースによって占有されるシンボルが配置されている帯域幅部パートＢＷＰまたはキャリアを示すための情報、の少なくとも１つを含む、請求項１に記載の方法。
【請求項７】
前記リソース設定情報は、前記送信側装置がシフトするリソースを示すためであり、
前記リソース設定情報は、
前記送信側装置がシフトする時間領域リソースおよび／または周波数領域リソースを示すための情報、
前記送信側装置がシフトするリソースの開始時刻または終了時刻を示すための情報、
前記送信側装置がシフトするリソースのシフト先の時間領域リソースまたは周波数領域リソースを示すための情報、
前記送信側装置がシフトするリソースに対応するリソースサイクルの数を示すための情報、
前記送信側装置がシフトする必要のあるリソースの数を示すための情報、
前記送信側装置がシフトするリソースによって占有されるシンボルまたはタイムスロットの数を示すための情報、および、
前記送信側装置がシフトするリソースによって占有されるシンボルが配置されている帯域幅部パートＢＷＰまたはキャリアを示すための情報、の少なくとも１つを含む、請求項１に記載の方法。
【請求項８】
前記送信側装置にフィードバック情報を送信することをさらに含み、前記フィードバック情報は、前記受信側装置が前記リソース設定情報を正常に受信したことを確定するように前記送信側装置に使用される、請求項１〜７の何れか１項に記載の方法。
【請求項９】
前記受信側装置は、サイドリンクＳｉｄｅｌｉｎｋにおける受信端末装置ＵＥであり、前記送信側装置は、Ｓｉｄｅｌｉｎｋにおける送信ＵＥである、または、
前記受信側装置はＳｉｄｅｌｉｎｋにおける送信ＵＥであり、前記送信側装置はネットワーク装置またはＳｉｄｅｌｉｎｋにおけるリソース割り当てＵＥである、請求項１〜７の何れか１項に記載の方法。
【請求項１０】
送信側装置に適用されるリソース割り当て方法であって、前記リソース割り当て方法は、
受信側装置にリソース設定情報を送信することを含み、前記リソース設定情報は、設定されたリソースのうち、使用を取り消される必要のあるリソースを決定するように受信側装置に使用される、方法。
【請求項１１】
前記使用を取り消される必要のあるリソースは、前記設定されたリソースのうち、前記受信側装置への設定が取り消されるリソースであり、
前記リソース設定情報は、
前記受信側装置への設定が取り消される時間領域リソースおよび／または周波数領域リソースを示すための情報、
前記受信側装置への設定が取り消されるリソースの開始時刻または終了時刻を示すための情報、
前記受信側装置への設定が取り消されるリソースに対応するリソースサイクルの数を示すための情報、
前記受信側装置への設定が取り消されるリソースの数を示すための情報、
前記受信側装置への設定が取り消されるリソースによって占有されるシンボルまたはタイムスロットの数を示すための情報、および、
前記受信側装置への設定が取り消されるリソースによって占有されるシンボルが配置されている帯域幅部パートＢＷＰまたはキャリアを示すための情報、の少なくとも１つを含む、請求項１０に記載の方法。
【請求項１２】
前記リソース設定情報は、前記送信側装置が使用を取り消すリソースを示すためであり、
前記リソース設定情報は、
前記送信側装置が使用を取り消す時間領域リソースおよび／または周波数領域リソースを示すための情報、
前記送信側装置が使用を取り消すリソースの開始時刻または終了時刻を示すための情報、
前記送信側装置が使用を取り消すリソースに対応するリソースサイクルの数を示すための情報、
前記送信側装置が使用を取り消すリソースの数を示すための情報、
前記送信側装置が使用を取り消すリソースによって占有されるシンボルまたはタイムスロットの数を示すための情報、および、
前記送信側装置が使用を取り消すリソースによって占有されるシンボルが配置されている帯域幅部パートＢＷＰまたはキャリアを示すための情報、の少なくとも１つを含む、請求項１０に記載の方法。
【請求項１３】
前記使用を取り消される必要のあるリソースは、目標ハイブリッド自動再送要求ＨＡＲＱプロセスに割り当てられている、請求項１０に記載の方法。
【請求項１４】
前記リソース設定情報は、前記目標ＨＡＲＱプロセスのシーケンス番号を示すための情報を含む、請求項１３に記載の方法。
【請求項１５】
前記使用を取り消される必要のあるリソースは、前記設定されたリソースのうち、シフトする必要のあるリソースであり、
前記リソース設定情報は、
シフトする必要のある時間領域リソースおよび／または周波数領域リソースを示すための情報、
シフトする必要のあるリソースの開始時刻または終了時刻を示すための情報、
シフトする必要のあるリソースのシフト先の時間領域リソースまたは周波数領域リソースを示すための情報、
シフトする必要のあるリソースに対応するリソースサイクルの数を示すための情報、
シフトする必要のあるリソースの数を示すための情報、
シフトする必要のあるリソースによって占有されるシンボルまたはタイムスロットの数を示すための情報、および、
シフトする必要のあるリソースによって占有されるシンボルが配置されている帯域幅部パートＢＷＰまたはキャリアを示すための情報、の少なくとも１つを含む、請求項１０に記載の方法。
【請求項１６】
前記リソース設定情報は、前記送信側装置がシフトするリソースを示すためであり、
前記リソース設定情報は、
前記送信側装置がシフトする時間領域リソースおよび／または周波数領域リソースを示すための情報、
前記送信側装置がシフトするリソースの開始時刻または終了時刻を示すための情報、
前記送信側装置がシフトするリソースのシフト先の時間領域リソースまたは周波数領域リソースを示すための情報、
前記送信側装置がシフトするリソースに対応するリソースサイクルの数を示すための情報、
前記送信側装置がシフトする必要のあるリソースの数を示すための情報、
前記送信側装置がシフトするリソースによって占有されるシンボルまたはタイムスロットの数を示すための情報、および、
前記送信側装置がシフトするリソースによって占有されるシンボルが配置されている帯域幅部パートＢＷＰまたはキャリアを示すための情報、の少なくとも１つを含む、請求項１０に記載の方法。
【請求項１７】
前記受信側装置からのフィードバック情報を受信することをさらに含み、前記フィードバック情報は、前記受信側装置がリソース設定情報を正常に受信したことを確定するように前記送信側装置に使用される、請求項１０〜１６の何れか一項に記載の方法。
【請求項１８】
前記受信側装置は、サイドリンクＳｉｄｅｌｉｎｋにおける受信端末装置ＵＥであり、前記送信側装置は、Ｓｉｄｅｌｉｎｋにおける送信ＵＥである、または、
前記受信側装置はＳｉｄｅｌｉｎｋにおける送信ＵＥであり、前記送信側装置はネットワーク装置またはＳｉｄｅｌｉｎｋにおけるリソース割り当てＵＥである、請求項１０〜１６の何れか一項に記載の方法。
【請求項１９】
受信側装置であって、
送信側装置からのリソース設定情報を受信するためのトランシーバモジュールを備え、前記リソース設定情報は、設定されたリソースのうち、使用を取り消される必要のあるリソースを決定するように前記受信側装置に使用される、装置。
【請求項２０】
送信側装置であって、
受信側装置にリソース設定情報を送信するためのトランシーバモジュールを備え、前記リソース設定情報は、設定されたリソースのうち、使用を取り消される必要のあるリソースを決定するように前記受信側装置に使用される、装置。
【請求項２１】
プロセッサ、メモリ、および前記メモリに格納され、前記プロセッサで実行可能なコンピュータプログラムを備え、前記コンピュータプログラムは前記プロセッサによって実行されると、請求項１〜９のいずれか１項に記載のリソース割り当て方法のステップを実施する受信側装置。
【請求項２２】
プロセッサ、メモリ、および前記メモリに格納され、前記プロセッサで実行可能なコンピュータプログラムを備え、前記コンピュータプログラムは前記プロセッサによって実行されると、請求項１０〜１８のいずれか１項に記載のリソース割り当て方法のステップを実施する送信側装置。
【請求項２３】
プロセッサによって実行されると、請求項１〜１８のいずれか１項に記載のリソース割り当て方法のステップを実施させるコンピュータプログラムが記憶されたコンピュータ可読記憶媒体。
【発明の詳細な説明】
【技術分野】
【０００１】
本開示は、通信技術の分野に関連し、より具体的には、リソース割り当て方法および装置に関連する。
【背景技術】
【０００２】
ロングタームエボリューション（Ｌｏｎｇ  Ｔｅｒｍ  Ｅｖｏｌｕｔｉｏｎ、ＬＴＥ）システムは、１２番目のリリースバージョンからサイドリンク（Ｓｉｄｅｌｉｎｋ）通信をサポートするようになり、Ｓｉｄｅｌｉｎｋ通信は、ネットワーク装置なしで端末装置（ユーザー装置、ＵＥ）間の直接データ伝送に使用される。Ｓｉｄｅｌｉｎｋ通信では、ＵＥは物理サイドリンク制御チャネル（Ｐｈｙｓｉｃａｌ  Ｓｉｄｅｌｉｎｋ  Ｃｏｎｔｒｏｌ  Ｃｈａｎｎｅｌ、ＰＳＣＣＨ）を介してサイドリンク制御情報（ｉｄｅｌｉｎｋ  Ｃｏｎｔｒｏｌ  Ｉｎｆｏｒｍａｔｉｏｎ、ＳＣＩ）を送信し、データを送信するために物理サイドリンク共有チャネル（Ｐｈｙｓｉｃａｌ  Ｓｉｄｅｌｉｎｋ  Ｓｈａｒｅｄ  Ｃｈａｎｎｅｌ、ＰＳＳＣＨ）の伝送をスケジュールする。
【０００３】
ＬＴＥ  Ｓｉｄｅｌｉｎｋは、特定の公安業務（火災現場や地震などの災害現場などでの緊急通信）、またはカーネットワーキング（Ｖｅｈｉｃｌｅ  ｔｏ  Ｅｖｅｒｙｔｈｉｎｇ、Ｖ２Ｘ）通信などに適している。カーネットワーキング通信には、基本的なセキュリティ通信、高度な（自動）運転、編隊、センサーの拡張など、さまざまなサービスが含まれる。ただし、ＬＴＥ  Ｓｉｄｅｌｉｎｋはブロードキャスト通信のみをサポートするため、ＬＴＥ  Ｓｉｄｅｌｉｎｋは主に基本的なセキュリティ通信に使用される。その他の高度なＶ２Ｘサービスは、新しいエアインターフェース（Ｎｅｗ  Ｒａｄｉｏ、ＮＲ）Ｓｉｄｅｌｉｎｋを介してサポートされる。
【０００４】
ＮＲ  Ｓｉｄｅｌｉｎｋ通信では、低遅延サービスのニーズを満たすために、リソース割り当てサイクルを短縮する必要がある。これは、ネットワーク装置の下に複数のＵＥが（たとえば、カーネットワーキングの高密度シナリオ）配置され、各ＵＥにリソースを設定する必要がある場合、使用可能なアイドルリソースがなくなり、サービスが来ていない時、リソースがＵＥに設定されているので、リソースの使用率を低くなる。
【発明の概要】
【発明が解決しようとする課題】
【０００５】
本開示の実施形態の目的は、リソースの低使用率の問題を解決することができるリソース割り当て方法および装置を提供することである。
【課題を解決するための手段】
【０００６】
第１の態様では、受信側装置に適用されるリソース割り当て方法が提供される。当該方法は、送信側装置からのリソース設定情報を受信することを含み、前記リソース設定情報は、設定されたリソースのうち、使用を取り消される必要のあるリソースを決定するように前記受信側装置に使用される。
【０００７】
第２の態様では、送信側装置に適用されるリソース割り当て方法が提供される。当該方法は、受信側装置にリソース設定情報を送信することを含み、前記リソース設定情報は、設定されたリソースのうち、使用を取り消される必要のあるリソースを決定するように受信側装置に使用される。
【０００８】
第３の態様では、受信側装置が提供される。当該受信側装置は、送信側装置からのリソース設定情報を受信するためのトランシーバモジュールを備え、前記リソース設定情報は、設定されたリソースのうち、使用を取り消される必要のあるリソースを決定するように前記受信側装置に使用される。
【０００９】
第４の態様では、送信側装置が提供される。当該送信側装置は、リソース設定情報を受信側装置に送信するためのトランシーバモジュールを備え、前記リソース設定情報は、設定されたリソースのうち、使用を取り消される必要のあるリソースを決定するように受信側装置に使用される。
【００１０】
第５の態様では、受信側装置が提供される。当該受信側装置は、メモリ、プロセッサ、および前記メモリに格納され前記プロセッサで実行されるコンピュータプログラムを備え、前記コンピュータプログラムは前記プロセッサによって実行されると、第１の態様に記載のリソース割り当て方法のステップを実施する。
【００１１】
第６の態様では、送信側装置が提供される。当該送信側装置は、メモリ、プロセッサ、および前記メモリに格納され前記プロセッサで実行されるコンピュータプログラムを備え、前記コンピュータプログラムは前記プロセッサによって実行されると、第２の態様に記載のリソース割り当て方法のステップを実施する。
【００１２】
第７の態様では、コンピュータプログラムが格納されるコンピュータ可読媒体を提供され、前記コンピュータプログラムはプロセッサによって実行されると、第１の態様に記載のリソース割り当て方法のステップを実施する。
【００１３】
第８の態様では、コンピュータプログラムが格納されるコンピュータ可読記憶媒体を提供され、前記コンピュータプログラムはプロセッサによって実行されると、第２の態様に記載のリソース割り当て方法のステップを実施する。
【発明の効果】
【００１４】
本開示の実施形態では、受信側装置は、設定されたリソースのうち使用を取り消される必要のあるリソースを決定するためのリソース設定情報を受信し、リソース設定情報に従って使用を取り消される必要のあるリソースを決定することで、使用を取り消される必要のあるリソースを情報伝送に使用しなくなり、当該使用を取り消される必要のあるリソースは、他の装置によって情報伝送に使用されるので、他の装置は、受信側装置にサービスが来ていない時、当該受信側装置に割り当てられたリソースを多重化して、リソースの使用率を向上させることができる。
【図面の簡単な説明】
【００１５】
【図１】図１は、本開示によるリソース割り当て方法のフローチャートの第１の模式図である。
【図２】図２は、本開示によるリソース割り当て方法の第２の模式図である。
【図３】図３は、本開示によるリソース割り当て方法の第３の模式図である。
【図４】図４は、本開示によるリソース割り当て方法の第４の模式図である。
【図５】図５は、本開示によるリソース割り当て方法のフローチャートの第５の模式図である。
【図６】図６は、本開示による受信側装置の第１の構造図である。
【図７】図７は、本開示による送信側装置の第１の構造図である。
【図８】図８は、本開示による受信側装置の第２の構造図である。
【図９】図９は、本開示による送信側装置の第２の構造図である。
【発明を実施するための形態】
【００１６】
ここで説明されている図面は、本開示をよりよく理解できるようにすることが意図されており、本開示を設定する一部である。本開示の例示的な実施形態は、本開示を説明するために使用され、本開示を限定するものではない。
【００１７】
以下に、本開示の実施形態における技術案は、本開示の実施形態における添付の図面を参照して明確かつ完全に説明される。明らかに、説明される実施形態は、本開示の実施形態の一部であり、すべての実施形態ではない。本開示の実施形態に基づいて、創造的な労働なしに当業者によって得られる他のすべての実施形態は、本開示の保護範囲に含まれる。
【００１８】
本開示の技術的解決策は、例えば、ロングタームエボリューション（Ｌｏｎｇ  Ｔｅｒｍ  Ｅｖｏｌｕｔｉｏｎ、ＬＴＥ）／ロングタームエボリューションアドバンスト（Ｌｏｎｇ  Ｔｅｒｍ  Ｅｖｏｌｕｔｉｏｎ−ａｄｖａｎｃｅｄ、ＬＴＥ−Ａ）システム、新しいエアインターフェース（Ｎｅｗ  Ｒａｄｉｏ、ＮＲ）システム、ＬＴＥサイドリンク（Ｓｉｄｅｌｉｎｋ）システム、ＮＲ  Ｓｉｄｅｌｉｎｋシステムなどの様々な通信システムに適用することができる。
【００１９】
本開示の実施形態では、移動端末（Ｍｏｂｉｌｅ  Ｔｅｒｍｉｎａｌ）、モバイルユーザ装置などとも呼ばれ得る端末装置（Ｕｓｅｒ  Ｅｑｕｉｐｍｅｎｔ、ＵＥ）は、無線アクセスネットワーク（例えば、Ｒａｄｉｏ  Ａｃｃｅｓｓ  Ｎｅｔｗｏｒｋ、ＲＡＮ）を介して１つまたは複数のコアネットワークと通信することができる。ユーザ装置は、無線アクセスネットワークと言語やデータを交換する、携帯電話（または「セルラーホン」と呼ばれ）などの移動端末やポータブル、ポケットサイズ、ハンドヘルドまたはコンピュータ内蔵または車載の移動装置などの移動端末を備えたコンピュータであってもよい。
【００２０】
本開示の実施形態では、ネットワーク装置は、端末装置に無線通信機能を提供するために無線アクセスネットワークに配備される装置である。ネットワーク装置は、例えば、基地局であり得、基地局は、ＬＴＥにおける進化型基地局（ｅＮＢまたはｅ−ＮｏｄｅＢ、ｅｖｏｌｕｔｉｏｎａｌ  Ｎｏｄｅ  Ｂ）  および５Ｇ基地局（ｇＮＢ）であり得る。
【００２１】
本開示の実施形態では、受信側装置は、サイドリンクＳｉｄｅｌｉｎｋにおける受信端末装置ＵＥであり、送信側装置は、Ｓｉｄｅｌｉｎｋにおける送信ＵＥである。または、受信側装置はＳｉｄｅｌｉｎｋにおける送信ＵＥであり、送信側装置はネットワーク装置またはＳｉｄｅｌｉｎｋにおけるリソース割り当てＵＥである。
【００２２】
本開示の実施形態によって提供される技術案は、添付の図面を参照して以下で詳細に説明される。
【００２３】
図１は、本開示によるリソース割り当ての方法を示す。図１に示す方法は、受信側装置に適用される。図１に示すように、方法は、Ｓ１１０、送信側装置からのリソース設定情報を受信することを含み、前記リソース設定情報は、設定されたリソースのうち、使用を取り消される必要のあるリソースを決定するように前記受信側装置に使用される。
【００２４】
Ｓ１１０で設定されたリソースは、スケジュールされたリソース割り当て（Ｓｃｈｅｄｕｌｅｄ  Ｒｅｓｏｕｒｃｅ  Ａｌｌｏｃａｔｉｏｎ）モードを介して受信側装置に設定されてもよいか、または自律リソース選択（Ａｕｔｏｎｏｍｏｕｓ  Ｒｅｓｏｕｒｃｅ  Ｓｅｌｅｃｔｉｏｎ）モードを介して受信側装置に設定されてもよい。スケジュールされたリソース割り当てモードはネットワーク装置によって制御され、リソースを各ＵＥに割り当てられ、自律リソース選択モードでは、ＵＥによりリソースプール（Ｐｏｏｌ）でリソースを自律に選択する。
【００２５】
上記のリソースプールは、ネットワーク装置によって送信または事前設定される。リソースプールには、Ｓｉｄｅｌｉｎｋの検出または伝送に使用されるリソースと伝送関連パラメータなどが含まれ、例えば、リソースプールの第１のサブフレームのシフト値、リソースプールに対応するビットマップ（Ｂｉｔｍａｐ）、隣接するリソースブロック（Ｒｅｓｏｕｒｃｅ  Ｂｌｏｃｋ、ＲＢ）で物理サイドリンク制御チャネル（Ｐｈｙｓｉｃａｌ  Ｓｉｄｅｌｉｎｋ  Ｃｏｎｔｒｏｌ  Ｃｈａｎｎｅｌ、ＰＳＣＣＨ）と物理サイドリンク共有チャネル（Ｐｈｙｓｉｃａｌ  Ｓｉｄｅｌｉｎｋ  Ｓｈａｒｅｄ  Ｃｈａｎｎｅｌ、ＰＳＳＣＨ）を送信するかどうか、サブチャネルの数と各サブチャネルのサイズおよびサブチャネルに対応する最小のＲＢインデックス値、ＰＳＣＣＨ  Ｐｏｏｌに対応する最小のＲＢインデックス値、チャネルビジーレート（Ｃｈａｎｎｅｌ  Ｂｕｓｙ  Ｒａｔｅ、ＣＢＲ）測定された受信信号強度（Ｒｅｃｅｉｖｅ  Ｓｉｇｎａｌ  Ｓｔｒｅｎｇｔｈ  Ｉｎｄｉｃａｔｏｒ、Ｓ  −ＲＳＳＩ）しきい値、エリア識別子などを含む。
【００２６】
いくつかの実施形態では、リソース設定情報は、媒体アクセス制御制御エレメント（Ｍｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ）を介して送信側装置によって送信され得るか、または物理層シグナリングを介して送信側装置によって送信され得る。取り消される必要のあるリソースは、半永久的スケジューリング（Ｓｅｍｉ−Ｐｅｒｓｉｓｔｅｎｔ  Ｓｃｈｅｄｕｌｉｎｇ、ＳＰＳ）伝送をサポートするＳＰＳリソース、またはグラントフリー（Ｇｒａｎｔ−Ｆｒｅｅ）伝送をサポートするＧｒａｎｔ−Ｆｒｅｅリソースであてもよい。取り消される必要のあるリソースは、１つのＳＰＳリソースまたはＧｒａｎｔ−Ｆｒｅｅリソースであってもよく、１つのキャリア上のＳＰＳリソースまたはＧｒａｎｔ−Ｆｒｅｅリソース（たとえば、受信側装置が複数のキャリア上のリソースを設定され、取り消される必要のあるリソースはこの複数のキャリア中の１つのキャリア上のリソースである）であってもよく、１つの帯域幅パート（Ｂａｎｄｗｉｄｔｈ  Ｐａｒｔ、ＢＷＰ）上のＳＰＳリソースまたはＧｒａｎｔ−Ｆｒｅｅリソース（たとえば、受信側装置が複数の帯域幅パートを設定され、取り消される必要のあるリソースはこの複数の帯域幅パート中の１つの帯域幅パート上のリソースである）であってもよく、または１つのＳＰＳリソースまたはＧｒａｎｔ−Ｆｒｅｅリソースの一部の時間周波数リソースであってもよい。
【００２７】
具体的には、いくつかの実施形態では、使用を取り消される必要のあるリソースは、設定されたリソース中の、受信側装置への設定が取り消されるリソースである。ここで、リソース設定情報は、受信側装置への設定が取り消される時間領域リソースおよび／または周波数領域リソースを示すための情報、受信側装置への設定が取り消されるリソースの開始時刻または終了時刻を示すための情報、受信側装置への設定が取り消されるリソースに対応するリソースサイクルの数を示すための情報、受信側装置への設定が取り消されるリソースの数を示すための情報、受信側装置への設定が取り消されるリソースによって占有されるシンボルまたはタイムスロットの数を示すための情報、および、受信側装置への設定が取り消されるリソースによって占有されるシンボルが配置されている帯域幅部パートＢＷＰまたはキャリアを示すための情報、の少なくとも１つを含む。
【００２８】
たとえば、図２に示すように、図２の単色で塗りつぶされた部分は受信側装置に設定られたリソースを示し、垂直線で塗りつぶされた部分はリソース設定情報を示し、斜線で塗りつぶされた部分は取り消される必要のあるリソースを示す。受信側装置が受信したリソース設定情報に、受信側装置への設定が取り消される時間領域リソースおよび周波数領域リソースを示す情報が含まれている場合、受信側装置がリソース設定情報に従って取り消される必要のあるリソースは、図２の斜線で塗りつぶされた部分であると決定し、受信側装置は当該部分のリソースを情信伝送に使用しなくなる。
【００２９】
または、たとえば、受信側装置が受信したリソース設定情報に、受信側装置への設定が取り消されるリソースに対応するリソースサイクルの数を示すための情報が含まれている場合、当該情報は受信側装置への設定が取り消されるリソースに対応するリソースサイクルの数が２であることを示し、受信側装置はリソース設定情報を受信してからの２つのリソースサイクルなかのリソースが取り消される必要のあるリソース（例えば、図面中の時間軸における後ろの２つにリソース）であることを決定し、受信側装置は当該部分のリソースを情報伝送に使用しなくなる。
【００３０】
または、別の例として、１つのリソース期間なかのリソースによって占有されるシンボルの数は６であり、リソース設定情報は、受信側装置への設定が取り消されるリソースによって占有されるシンボルの数を示すための情報を含み、当該情報は受信側装置への設定が取り消されるリソースによって占有されるシンボルの数が３であると示し、受信側装置は、送信側装置との約束に従って、６つのシンボルなかの、前の３つのシンボルまたは後の３つシンボルが使用を取り消される必要があると決定できる。
【００３１】
具体的には、いくつかの実施形態では、リソース設定情報は、受信側装置が使用を取り消すリソースを示すためである。ここで、リソース設定情報は、送信側装置が使用を取り消す時間領域リソースおよび／または周波数領域リソースを示すための情報、送信側装置が使用を取り消すリソースの開始時刻または終了時刻を示すための情報、送信側装置が使用を取り消すリソースに対応するリソースサイクルの数を示すための情報、送信側装置が使用を取り消すリソースの数を示すための情報、送信側装置が使用を取り消すリソースによって占有されるシンボルまたはタイムスロットの数を示すための情報、および、送信側装置が使用を取り消すリソースによって占有されるシンボルが配置されている帯域幅部パートＢＷＰまたはキャリアを示すための情報、の少なくとも１つを含む。この場合、送信側装置は、送信側装置自ら取り消すリソースを受信側装置に通知し、受信側装置は、送信側装置が取り消すリソースに基づいて、設定されたリソースの中取り消される必要のあるリソースを決定することができる。
【００３２】
具体的には、いくつかの実施形態では、使用を取り消される必要のあるリソースは、設定されたリソース中の、シフト（Ｓｈｉｆｔｉｎｇ）する必要のあるリソースである。リソース設定情報は、シフトする必要のある時間領域リソースおよび／または周波数領域リソースを示すための情報、シフトする必要のあるリソースの開始時刻または終了時刻を示すための情報、シフトする必要のあるリソースのシフト先の時間領域リソースまたは周波数領域リソースを示すための情報、シフトする必要のあるリソースに対応するリソースサイクルの数を示すための情報、シフトする必要のあるリソースの数を示すための情報、シフトする必要のあるリソースによって占有されるシンボルまたはタイムスロットの数を示すための情報、および、シフトする必要のあるリソースによって占有されるシンボルが配置されている帯域幅部パートＢＷＰまたはキャリアを示すための情報、の少なくとも１つを含む。
【００３３】
たとえば、図３に示すように、図３の単色で塗りつぶされた部分は受信側装置に設定られたリソースを示し、垂直線で塗りつぶされた部分はリソース設定情報を示し、斜線で塗りつぶされた部分はシフト後のリソースを示す。受信側装置が受信したリソース設定情報に、シフトする必要のある時間領域リソースおよび周波数領域リソースを示す情報が含まれている場合、受信側装置がリソース設定情報に従ってシフトする必要のあるリソースは、図３のリソース３であると決定し、受信側装置はリソース３を情報伝送に使用しなくなる。さらに、受信側装置は、送信側装置との約束に従って、リソース３をシフトしシフト後のリソースを取得し、シフト後のリソースを情報伝送に使用する。
【００３４】
または、たとえば、受信側装置が受信したリソース設定情報に、シフトする必要のあるリソースに対応するリソースサイクルの数を示すための情報が含まれている場合、当該情報はシフトする必要のあるリソースに対応するリソースサイクルの数が２であることを示し、受信側装置はリソース設定情報を受信してからの２つのリソースサイクルなかのリソースが取り消される必要のあるリソース（例えば、図面中のリソース３とリソース４）であることを決定し、受信側装置はリソース３とリソース４を情報伝送に使用しなくなる。さらに、受信側装置は、送信側装置との約束に従って、リソース３をシフトしシフト後のリソースを取得し、シフト後のリソースを情報伝送に使用する。
【００３５】
具体的には、いくつかの実施形態では、リソース設定情報は、送信側装置がシフトするリソースを示すためである。ここで、リソース設定情報は、送信側装置がシフトする時間領域リソースおよび／または周波数領域リソースを示すための情報、送信側装置がシフトするリソースの開始時刻または終了時刻を示すための情報、送信側装置がシフトするリソースのシフト先の時間領域リソースまたは周波数領域リソースを示すための情報、送信側装置がシフトするリソースに対応するリソースサイクルの数を示すための情報、送信側装置がシフトする必要のあるリソースの数を示すための情報、送信側装置がシフトするリソースによって占有されるシンボルまたはタイムスロットの数を示すための情報、および、送信側装置がシフトするリソースによって占有されるシンボルが配置されている帯域幅部パートＢＷＰまたはキャリアを示すための情報、の少なくとも１つを含む。この場合、送信側装置は、送信側装置自らシフトするリソースを受信側装置に通知し、受信側装置は、送信側装置がシフトするリソースに基づいて、設定されたリソースの中取り消される必要のあるリソースを決定することができる。さらに、取り消される必要のあるリソースをシフトした後のリソースを決定し、シフト後のリソースを情報伝送に使用する。
【００３６】
具体的には、いくつかの実施形態では、取り消される必要のあるリソースは、目標ハイブリッド自動再送要求ＨＡＲＱプロセスに割り当てられている。さらに、リソース設定情報には、目標ＨＡＲＱプロセスのシーケンス番号を示すための情報が含まれる。
【００３７】
例えば、図４に示すように、取り消される必要のあるリソースは、ＨＡＲＱプロセスｘに割り当てられていると、リソース設定情報はｘを示す情報を含み、受信側装置は、リソース設定情報に従って、ＨＡＲＱプロセスに割り当てられたリソースの使用を取り消す必要があると決定することができる。具体的には、受信側装置は、送信側装置との約束または送信側装置の指示に従って、いくつのサイクルでＨＡＲＱプロセスｘに割り当てられたリソースの使用を取り消す必要があると決定することができる。ＨＡＲＱのプロセスｘに割り当てられたリソースの使用を取り消すことは、ＨＡＲＱプロセスＸを取り消すこととしても理解できることは理解されたい。
【００３８】
前述のすべての実施形態に基づいて、オプションで、図１に示される方法は、フィードバック情報を送信側装置に送信することをさらに含み、フィードバック情報は、送信側装置は受信側装置がリソース設定情報を正常に受信したことを確定するためである。フィードバック情報を送信側装置に送信することにより、送信側装置は、リソース設定情報が正常に送信されたかどうかを明確に通知されることができ、通信の効率を向上させることができる。
【００３９】
具体的には、いくつかの実施形態では、リソース設定情報が物理層シグナリングまたはＭＡＣ  ＣＥを介して送信側装置によって送信される場合、受信側装置は、ＭＡＣ  ＣＥ応答確認の形でフィードバック情報を送信することができる。
【００４０】
図１から図４を参照し、本開示によるリソース割り当ての方法を詳しく説明した。以下は、図５を参照して、本開示によるリソース割り当て方法の別の一例示を説明する。送信側装置側から説明される送信側装置と受信側装置との間のインタラクションは、図１から４に示される方法における受信側装置側の説明と同じであり、関連する記述は、繰り返しを避けるために適切に省略される。図５に示す方法は、受信側装置に実行される。図５に示され方法は、Ｓ２１０、受信側装置にリソース設定情報を送信することを含み、前記リソース設定情報は、設定されたリソースのうち、使用を取り消される必要のあるリソースを決定するように受信側装置に使用される。
【００４１】
受信側装置に設定されたリソースの一部のリソースにサービスが来ていない時、送信側装置は、リソース設定情報を介してこの一部のリソースの使用を取り消すように受信側装置に通知することができ、または受信側装置に設定されたリソースの一部のリソースにサービスが来ていない時、送信側装置は、いくつかのリソースの使用を取り消すことができ、リソース設定情報を介してこれらのリソースを受信側装置に通知することで、受信側装置は、リソース設定情報に従って、使用を取り消される必要のあるリソースを決定することは理解できる。
【００４２】
オプションで、１つの例として、前記使用を取り消される必要のあるリソースは、前記設定されたリソースの中の受信側装置への設定が取り消されるリソースである。
【００４３】
ここで、前記リソース設定情報は、受信側装置への設定が取り消される時間領域リソースおよび／または周波数領域リソースを示すための情報、受信側装置への設定が取り消されるリソースの開始時刻または終了時刻を示すための情報、受信側装置への設定が取り消されるリソースに対応するリソースサイクルの数を示すための情報、受信側装置への設定が取り消されるリソースの数を示すための情報、受信側装置への設定が取り消されるリソースによって占有されるシンボルまたはタイムスロットの数を示すための情報、および、受信側装置への設定が取り消されるリソースによって占有されるシンボルが配置されている帯域幅部パートＢＷＰまたはキャリアを示すための情報、の少なくとも１つを含む。
【００４４】
オプションで、１つの例として、前記リソース設定情報は、前記送信側装置が使用を取り消すリソースを示すためである。
【００４５】
ここで、前記リソース設定情報は、前記送信側装置が使用を取り消す時間領域リソースおよび／または周波数領域リソースを示すための情報、送信側装置が使用を取り消すリソースの開始時刻または終了時刻を示すための情報、前記送信側装置が使用を取り消すリソースに対応するリソースサイクルの数を示すための情報、前記送信側装置が使用を取り消すリソースの数を示すための情報、前記送信側装置が使用を取り消すリソースによって占有されるシンボルまたはタイムスロットの数を示すための情報、および、前記送信側装置が使用を取り消すリソースによって占有されるシンボルが配置されている帯域幅部パートＢＷＰまたはキャリアを示すための情報、の少なくとも１つを含む。
【００４６】
オプションで、１つの例として、前記使用を取り消される必要のあるリソースは、目標ハイブリッド自動再送要求ＨＡＲＱプロセスに割り当てられている。
【００４７】
オプションで、１つの例として、前記リソース設定情報には、前記目標ＨＡＲＱプロセスのシーケンス番号を示すための情報が含まれる。
【００４８】
オプションで、１つの例として、前記使用を取り消される必要のあるリソースは、前記設定されたリソースの中のシフトする必要のあるリソースである。
【００４９】
ここで、前記リソース設定情報は、シフトする必要のある時間領域リソースおよび／または周波数領域リソースを示すための情報、シフトする必要のあるリソースの開始時刻または終了時刻を示すための情報、シフトする必要のあるリソースのシフト先の時間領域リソースまたは周波数領域リソースを示すための情報、シフトする必要のあるリソースに対応するリソース周期の数を示すための情報、シフトする必要のあるリソースの数を示すための情報、シフトする必要のあるリソースによって占有されるシンボルまたはタイムスロットの数を示すための情報、および、シフトする必要のあるリソースによって占有されるシンボルが配置されている帯域幅部パートＢＷＰまたはキャリアを示すための情報、の少なくとも１つを含む。
【００５０】
オプションで、１つの例として、前記リソース設定情報は、前記送信側装置がシフトするリソースを示すためである。
【００５１】
ここで、前記リソース設定情報は、前記送信側装置がシフトする時間領域リソースおよび／または周波数領域リソースを示すための情報、前記送信側装置がシフトするリソースの開始時刻または終了時刻を示すための情報、前記送信側装置がシフトするリソースのシフト先の時間領域リソースまたは周波数領域リソースを示すための情報、前記送信側装置がシフトするリソースに対応するリソースサイクルの数を示すための情報、前記送信側装置がシフトする必要のあるリソースの数を示すための情報、前記送信側装置がシフトするリソースによって占有されるシンボルまたはタイムスロットの数を示すための情報、および、前記送信側装置がシフトするリソースによって占有されるシンボルが配置されている帯域幅部パートＢＷＰまたはキャリアを示すための情報、の少なくとも１つを含む。
【００５２】
オプションで、１つの例として、図５に示される方法は、前記受信側装置からのフィードバック情報を受信することをさらに含み、前記フィードバック情報は、前記受信側装置がリソース設定情報を正常に受信したことを確定するように前記送信側装置に使用される。
【００５３】
オプションで、１つの例として、前記受信側装置は、サイドリンクＳｉｄｅｌｉｎｋ内の受信端末装置ＵＥであり、前記送信側装置は、Ｓｉｄｅｌｉｎｋ内の送信ＵＥである。または、前記受信側装置は、Ｓｉｄｅｌｉｎｋ内の送信ＵＥであり、前記送信側装置は、ネットワーク装置またはＳｉｄｅｌｉｎｋ内のリソース割り当てＵＥである。
【００５４】
以上、図１から図５を参照し、本開示によるリソース割り当て方法を詳しく説明した。以下、図６を参照し、本開示による受信側装置を説明する。
【００５５】
図６は、本開示による受信側装置の構造図である。図６に示されるように、受信側装置６０は、送信側装置からのリソース設定情報を受信するためのトランシーバモジュール６１を備え、前記リソース設定情報は、設定されたリソースのうち、使用を取り消される必要のあるリソースを決定するように前記受信側装置に使用される。
【００５６】
本開示の実施形態による受信側装置は、リソース設定情報を受信し、リソース設定情報に従って設定されたリソースのうち、使用を取り消される必要のあるリソースを決定することで、使用を取り消される必要のあるリソースを情報伝送に使用しなくなり、当該使用を取り消される必要のあるリソースは、他の装置によって情報伝送に使用されるので、他の装置は、受信側装置にサービスが来ていない時、当該受信側装置に割り当てられたリソースを多重化して、リソースの使用率を向上させることができる。
【００５７】
オプションで、１つの例として、前記使用を取り消される必要のあるリソースは、前記設定されたリソースの中の受信側装置への設定が取り消されるリソースである。
【００５８】
ここで、前記リソース設定情報は、受信側装置への設定が取り消される時間領域リソースおよび／または周波数領域リソースを示すための情報、受信側装置への設定が取り消されるリソースの開始時刻または終了時刻を示すための情報、受信側装置への設定が取り消されるリソースに対応するリソースサイクルの数を示すための情報、受信側装置への設定が取り消されるリソースの数を示すための情報、受信側装置への設定が取り消されるリソースによって占有されるシンボルまたはタイムスロットの数を示すための情報、および、受信側装置への設定が取り消されるリソースによって占有されるシンボルが配置されている帯域幅部パートＢＷＰまたはキャリアを示すための情報、の少なくとも１つを含む。
【００５９】
オプションで、１つの例として、前記リソース設定情報は、前記送信側装置が使用を取り消すリソースを示すためである。
【００６０】
ここで、前記リソース設定情報は、前記送信側装置が使用を取り消す時間領域リソースおよび／または周波数領域リソースを示すための情報、送信側装置が使用を取り消すリソースの開始時刻または終了時刻を示すための情報、前記送信側装置が使用を取り消すリソースに対応するリソースサイクルの数を示すための情報、前記送信側装置が使用を取り消すリソースの数を示すための情報、前記送信側装置が使用を取り消すリソースによって占有されるシンボルまたはタイムスロットの数を示すための情報、および、前記送信側装置が使用を取り消すリソースによって占有されるシンボルが配置されている帯域幅部パートＢＷＰまたはキャリアを示すための情報、の少なくとも１つを含む。
【００６１】
オプションで、１つの例として、前記使用を取り消される必要のあるリソースは、目標ハイブリッド自動再送要求ＨＡＲＱプロセスに割り当てられている。
【００６２】
オプションで、１つの例として、前記リソース設定情報には、前記目標ＨＡＲＱプロセスのシーケンス番号を示すための情報が含まれる。
【００６３】
オプションで、１つの例として、前記使用を取り消される必要のあるリソースは、前記設定されたリソースの中のシフトする必要のあるリソースである。
【００６４】
ここで、前記リソース設定情報は、シフトする必要のある時間領域リソースおよび／または周波数領域リソースを示すための情報、シフトする必要のあるリソースの開始時刻または終了時刻を示すための情報、シフトする必要のあるリソースのシフト先とされる時間領域リソースまたは周波数領域リソースを示すための情報、シフトする必要のあるリソースに対応するリソース周期の数を示すための情報、シフトする必要のあるリソースの数を示すための情報、シフトする必要のあるリソースによって占有されるシンボルまたはタイムスロットの数を示すための情報、および、シフトする必要のあるリソースによって占有されるシンボルが配置されている帯域幅部パートＢＷＰまたはキャリアを示すための情報、の少なくとも１つを含む。
【００６５】
オプションで、１つの例として、前記リソース設定情報は、前記送信側装置がシフトするリソースを示すためである。
【００６６】
ここで、前記リソース設定情報は、前記送信側装置がシフトする時間領域リソースおよび／または周波数領域リソースを示すための情報、前記送信側装置がシフトするリソースの開始時間または終了時間を示すための情報、前記送信側装置がシフトするリソースのシフト先とされる時間領域リソースまたは周波数領域リソースを示すための情報、前記送信側装置がシフトするリソースに対応するリソースサイクルの数を示すための情報、前記送信側装置がシフトする必要のあるリソースの数を示すための情報、前記送信側装置がシフトするリソースによって占有されるシンボルまたはタイムスロットの数を示すための情報、および、前記送信側装置がシフトするリソースによって占有されるシンボルが配置されている帯域幅部パートＢＷＰまたはキャリアを示すための情報、の少なくとも１つを含む。オプションで、１つの例として、前記トランシーバモジュールはさらに、前記送信側装置にフィードバック情報を送信するためであり、前記フィードバック情報は、送信側装置は前記受信側装置がリソース設定情報を正常に受信したことを確定するためである。
【００６７】
オプションで、１つの例として、前記受信側装置は、サイドリンクＳｉｄｅｌｉｎｋ内の受信端末装置ＵＥであり、前記送信側装置は、Ｓｉｄｅｌｉｎｋ内の送信ＵＥである。または、前記受信側装置は、Ｓｉｄｅｌｉｎｋ内の送信ＵＥであり、前記送信側装置は、ネットワーク装置またはＳｉｄｅｌｉｎｋ内のリソース割り当てＵＥである。
【００６８】
本開示の実施形態によって提供される受信側装置は、図１から図４の方法の実施形態における受信側装置によって実施される各プロセスを実施することができる。繰り返しを回避するために、ここで詳しく説明しない。
【００６９】
図７は、本開示による送信側装置の構造模式図である。図７に示されるように、受信側装置７０は、受信側装置にリソース設定情報を送信するためのトランシーバモジュール７１を備え、前記リソース設定情報は、設定されたリソースのうち、使用を取り消される必要のあるリソースを決定するように前記受信側装置に使用される。
【００７０】
本開示の実施形態による送信側装置は、リソース設定情報を受信側装置に送信し、受信側装置がリソース設定情報に従って設定されたリソースのうち、使用を取り消される必要のあるリソースを決定させることで、使用を取り消される必要のあるリソースを情報伝送に使用しなくなり、当該使用を取り消される必要のあるリソースは、他の装置によって情報伝送に使用されるので、他の装置は、受信側装置にサービスが来ていない時、当該受信側装置に割り当てられたリソースを多重化して、リソースの使用率を向上させることができる。
【００７１】
オプションで、１つの例として、前記使用を取り消される必要のあるリソースは、前記設定されたリソースの中の受信側装置への設定が取り消されるリソースである。
【００７２】
ここで、前記リソース設定情報は、受信側装置への設定が取り消される時間領域リソースおよび／または周波数領域リソースを示すための情報、受信側装置への設定が取り消されるリソースの開始時刻または終了時刻を示すための情報、受信側装置への設定が取り消されるリソースに対応するリソースサイクルの数を示すための情報、受信側装置への設定が取り消されるリソースの数を示すための情報、受信側装置への設定が取り消されるリソースによって占有されるシンボルまたはタイムスロットの数を示すための情報、および、受信側装置への設定が取り消されるリソースによって占有されるシンボルが配置されている帯域幅部パートＢＷＰまたはキャリアを示すための情報、の少なくとも１つを含む。
【００７３】
オプションで、１つの例として、前記リソース設定情報は、前記送信側装置が使用を取り消すリソースを示すためである。
【００７４】
ここで、前記リソース設定情報は、前記送信側装置が使用を取り消す時間領域リソースおよび／または周波数領域リソースを示すための情報、送信側装置が使用を取り消すリソースの開始時刻または終了時刻を示すための情報、前記送信側装置が使用を取り消すリソースに対応するリソースサイクルの数を示すための情報、前記送信側装置が使用を取り消すリソースの数を示すための情報、前記送信側装置が使用を取り消すリソースによって占有されるシンボルまたはタイムスロットの数を示すための情報、および、前記送信側装置が使用を取り消すリソースによって占有されるシンボルが配置されている帯域幅部パートＢＷＰまたはキャリアを示すための情報、の少なくとも１つを含む。
【００７５】
オプションで、１つの例として、前記使用を取り消される必要のあるリソースは、目標ハイブリッド自動再送要求ＨＡＲＱプロセスに割り当てられている。
【００７６】
オプションで、１つの例として、前記リソース設定情報には、前記目標ＨＡＲＱプロセスのシーケンス番号を示すための情報が含まれる。
【００７７】
オプションで、１つの例として、前記使用を取り消される必要のあるリソースは、前記設定されたリソースの中のシフトする必要のあるリソースである。
【００７８】
ここで、前記リソース設定情報は、シフトする必要のある時間領域リソースおよび／または周波数領域リソースを示すための情報、シフトする必要のあるリソースの開始時刻または終了時刻を示すための情報、シフトする必要のあるリソースのシフト先の時間領域リソースまたは周波数領域リソースを示すための情報、シフトする必要のあるリソースに対応するリソース周期の数を示すための情報、シフトする必要のあるリソースの数を示すための情報、シフトする必要のあるリソースによって占有されるシンボルまたはタイムスロットの数を示すための情報、および、シフトする必要のあるリソースによって占有されるシンボルが配置されている帯域幅部パートＢＷＰまたはキャリアを示すための情報、の少なくとも１つを含む。
【００７９】
オプションで、１つの例として、前記リソース設定情報は、前記送信側装置がシフトするリソースを示すためである。
【００８０】
ここで、前記リソース設定情報は、前記送信側装置がシフトする時間領域リソースおよび／または周波数領域リソースを示すための情報、前記送信側装置がシフトするリソースの開始時刻または終了時刻を示すための情報、前記送信側装置がシフトするリソースのシフト先の時間領域リソースまたは周波数領域リソースを示すための情報、前記送信側装置がシフトするリソースに対応するリソースサイクルの数を示すための情報、前記送信側装置がシフトする必要のあるリソースの数を示すための情報、前記送信側装置がシフトするリソースによって占有されるシンボルまたはタイムスロットの数を示すための情報、および、前記送信側装置がシフトするリソースによって占有されるシンボルが配置されている帯域幅部パートＢＷＰまたはキャリアを示すための情報、の少なくとも１つを含む。
【００８１】
オプションで、１つの例として、前記トランシーバモジュール７１はさらに、前記受信側装置からのフィードバック情報を受信するためであり、前記フィードバック情報は、前記受信側装置がリソース設定情報を正常に受信したことを確定するように前記送信側装置に使用される。
【００８２】
オプションで、１つの例として、前記受信側装置は、サイドリンクＳｉｄｅｌｉｎｋ内の受信端末装置ＵＥであり、前記送信側装置は、Ｓｉｄｅｌｉｎｋ内の送信ＵＥである。または、前記受信側装置は、Ｓｉｄｅｌｉｎｋ内の送信ＵＥであり、前記送信側装置は、ネットワーク装置またはＳｉｄｅｌｉｎｋ内のリソース割り当てＵＥである。
【００８３】
本開示の実施形態によって提供される送信側装置は、図５の方法実施形態における送信側装置によって実施される各プロセスを実施することができる。繰り返しを回避するために、ここで詳しく説明しない。
【００８４】
図８は、本開示による受信側装置の構造模式図を示す。図８に示すように、受信側装置８００は、少なくとも１つのプロセッサ８１０、メモリ８２０、少なくとも１つのネットワークインターフェース８３０、およびユーザインターフェース８４０を備える。受信側装置８００内の各コンポーネントは、バスシステム８５０を介して一緒に結合される。バスシステム８５０は、これらのコンポーネント間の接続および通信を実装するためであることが理解され得る。バスシステム８５０は、データバスに加えて、電源バス、制御バスおよびステータス信号バスを含む。明確化のために、図８において、各バスをすべてバスシステム８５０と記載する。
【００８５】
ここで、ユーザインターフェース８４０は、ディスプレイ、キーボード、またはポインティングデバイス（例えば、マウス、トラックボール（ｔｒａｃｋｂａｌｌ）、タッチパネル、またはタッチスクリーンなど）を備えても良い。
【００８６】
本開示に記述されたメモリ８２０は、揮発性メモリまたは不揮発性メモリとすることができる。または、揮発性メモリと不揮発性メモリの両方を備え得る。そのうち、不揮発性メモリは、リードオンリーメモリ（Ｒｅａｄ−Ｏｎｌｙ  Ｍｅｍｏｒｙ、ＲＯＭ）、プログラマブル読取り専用メモリ（Ｐｒｏｇｒａｍｍａｂｌｅ  ＲＯＭ、ＰＲＯＭ）、消去可能プログラマブル読取り専用メモリ（Ｅａｓａｂｌｅ  ＰＲＯＭ、ＥＰＲＯＭ）、電気的消去可能プログラマブル読取り専用メモリ（ＥｌｅｃｔｒｉｃａｌｌｙＥＰＲＯＭ、ＥＥＰＲＯＭ）またはフラッシュメモリであってもよい。揮発性メモリは、外部キャッシュとして機能するランダムアクセスメモリ（Ｒａｎｄｏｍ  Ａｃｃｅｓｓメモリ、ＲＡＭ）であってもよい。例示的であるが限定的ではない説明として、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期動的ランダムアクセスメモリ（Ｓｙｎｃｈｒｏｎｏｕｓ  ＤＲＡＭ、ＳＤＲＡＭ）、ダブルデータレート同期動的ランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）、およびダイレクトランバスランダムアクセスメモリ（Ｄｉｒｅｃｔ  Ｒａｍｂｕｓ  ＲＡＭ、ＤＲＲＡＭ）などの多種類のＲＡＭは使用可能である。本開示の実施形態に記載のシステムおよび方法に係るメモリ３２０は、これらおよび任意の他の適切なタイプのメモリを含むが、これらに限定されない。
【００８７】
いくつかの実施形態では、メモリ８２０は、実行可能モジュールまたはデータ構造、またはそれらのサブセット、またはそれらの拡張セットのオペレーティングシステム８２１およびアプリケーションプログラム８２２という要素を格納している。
【００８８】
ここで、オペレーティングシステム８２１は、フレームレイヤ、コアデータベースレイヤ、駆動レイヤなど様々な基礎サービスを実現し、ハードウェアベースのタスクを処理するための各種システムプログラムを含む。アプリケーションプログラム８２２は、メディアプレーヤー（Ｍｅｄｉａ  Ｐｌａｙｅｒ）、ブラウザ（Ｂｒｏｗｓｅｒ）などの様々なアプリケーションプログラムを含み、様々なアプリケーションサービスを実現するために使用される。本開示の実施例の方法を実現するプログラムは、アプリケーション８２２に含まれることができる。
【００８９】
本開示の実施形態では、受信側装置８００は、メモリ８２０に格納され、プロセッサ８１０で実行されるコンピュータプログラムをさらに備える。コンピュータプログラムがプロセッサ８１０によって実行されると、上記の図１から図４に記載伝送方法の各プロセスが実施され、同じ技術的効果を達成することができる。繰り返しを回避するために、ここでは詳細を繰り返さない。
【００９０】
上記の本開示の実施形態に開示された方法は、プロセッサ８１０に適用されるか、またはプロセッサ８１０によって実装される。プロセッサ８１０は、信号の処理能力を有する集積回路チップであってもよい。実現中、前記方法の各ステップは、プロセッサ８１０におけるハードウェアの集積論理回路またはソフトウェア形式の命令によって達成できる。上記のプロセッサ８１０は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、またはその他のプログラマブルロジックデバイス、ディスクリートゲートまたはトランジスタロジックデバイス、ディスクリートハードウェアコンポーネントであってもよい。本開示の実施例における開示の様々な方法、ステップ、および論理ブロック図を実現または実行することができる。汎用プロセッサは、マイクロプロセッサまたは任意の従来のプロセッサなどであることができる。本開示の実施例に開示された方法のステップは、ハードウェアデコードプロセッサによって完了し、またはデコードプロセッサのハードウェアおよびソフトウェアモジュールの組み合わせで直接に完了することができる。ソフトウェアモジュールは、ランダムメモリ、フラッシュメモリ、読み出し専用メモリ、プログラム可能読み出し専用メモリ、または電気的消去可能プログラム可能読み出し専用メモリ、レジスターなどこの分野で成熟したコンピュータ可読記憶媒体に存在することができる。当該コンピュータ可読記憶媒体はメモリ内８２０に配置され、プロセッサ８１０はメモリ８２０内の情報を読み取り、ハードウェアと組み合わせて上記の方法のステップを完成させる。具体的には、当該コンピュータ可読媒体にコンピュータプログラムが格納されおり、コンピュータプログラムはプロセッサ８１０によって実行されると、上記の図１から図４に示される方法のステップを実施する。
【００９１】
なお、本開示に記述されたこれらの実施形態は、ハードウェア、ソフトウェア、ファームウェア、ミドルウェア、マイクロコードまたはこれらの組み合わせによって実現可能である点が理解される。ハードウェア実装の場合、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理装置（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコンピュータ、マイクロプロセッサ、および本開示に記載の機能を実行するためのその他電子ユニットまたはその組み合わせに実装できる。
【００９２】
ソフトウェアの実装については、本開示の実施形態に記載される技術は、本開示の実施形態に記載される機能を実行するモジュール（例えば、プロセス、ファンクションなど）を介して実施され得る。ソフトウェアコードは、メモリに保存して、プロセッサで実行することができる。メモリは、プロセッサ内またはプロセッサ外部で実行することができる。
【００９３】
図９は、本開示の別の一実施形態による送信側装置の構造模式図である。図９に示すように、送信側装置９００は、プロセッサ９１０、トランシーバ９２０、メモリ９３０、およびバスインターフェースを備える。
【００９４】
本開示の実施形態では、送信側装置９００は、メモリ９３０に格納され、前記プロセッサ９１０で実行されるコンピュータプログラムを備え、前記コンピュータプログラムが前記プロセッサ９１０によって実行されると、上記の図５に示される方法の各プロセスが実施され、同じ技術的効果を達成することができる。繰り返しを回避するために、ここでは詳しく説明しない。
【００９５】
図９に示すバスアーキテクチャは、任意の数の相互に接続するバスおよびブリッジを含み得る。具体的には、プロセッサ９１０が代表する１つまたは複数のプロセッサによって、メモリ９３０が代表する各回路と接続する。また、バスアーキテクチャは、周辺装置や、調整器、電力管理回路などの多種な他の電気回路と接続しても構わない。これらはすべて公知の技術であるため、ここでは説明を省略する。バスインターフェースは、インターフェースを提供する。トランシーバ９２０は複数の素子であってもよい。すなわち、送信器と、受信器と、を含み、伝送媒体で多種な他の装置と通信するためのユニットを提供する。
【００９６】
プロセッサ９１０は、バスアーキテクチャと一般的な処理の管理の役割を担う。メモリ９３０は、プロセッサ９１０の実行時に使用したデータを格納することができる。
【００９７】
本開示の実施形態はまた、コンピュータプログラムが格納されるコンピュータ可読記憶媒体を提供する。当該コンピュータプログラムがプロセッサによって実行されるとき、上記の図１から図５に示される方法の実施形態の各プロセスが実現され、同じ技術的効果を達成することができる。繰り返しを避けるために、ここでは詳しく説明しない。ここで、前記コンピュータ可読記憶媒体は、例えば、読み取り専用メモリ（Ｒｅａｄ−Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、または光ディスクなどである。
【００９８】
本明細書では、「含む」、「備える」、またはそれらの他の変形という用語は、非排他的な包含をカバーすることを意図しているため、一連の要素を含むプロセス、方法、物品、または装置は、それらの要素を含むだけではなく、また、明示的にリストされていない他の要素、またはプロセス、方法、物品、または装置に固有の要素も含まれることに留意されたい。これ以上の制限ない場合、「１つの．．．を含む」という文で限定される要素は、その要素を含むプロセス、方法、物品、または装置内の他の同一の要素の存在を除外しない。
【００９９】
上記の実施形態の説明を通じて、当業者は、上記の実施形態の方法が、ソフトウェアに必要な汎用的なハードウェアプラットフォームを加えることによって実施できることを明確に理解することができる。もちろん、ハードウェアによっても実施できるが、多くの場合、前者の方が優れている実施形態である。このような理解に基づいて、本開示の技術案は、本質的に、または関連する技術に寄与する部分をソフトウェア製品の形で具体化することができ、当該コンピュータソフトウェア製品は、記憶媒体（ＲＯＭ／ＲＡＭ、磁気ディスク、光ディスクなど）に格納され、端末（携帯電話、コンピュータ、サーバ、エアコン、またはネットワーク装置などであってもよい）に、本開示の各実施形態に記載される方法を実行させるためのいくつかの命令を含む。
【０１００】
当業者は、本明細書に開示される実施形態を参照して説明される各実例のユニットおよびアルゴリズムのステップが、電子ハードウェア、またはコンピュータソフトウェアと電子ハードウェアの組み合わせによって実現できることを理解される。これらの機能がハードウェアで実行されるかソフトウェアで実行されるかは、技術的なソリューションの特定のアプリケーションと設計上の制約条件による。当業者は、特定のアプリケーションごとに異なる方法を使用して、記載された機能を実現することができるが、いずれも本発明の保護範囲内に含まれるべきである。
【０１０１】
当業者は、便利さおよび簡潔さのために、上記のシステム、装置、およびユニットの具体的な作業ステップが、前述の方法の実施例における対応するステップを参照できることを明らかに理解できる。詳細がここで再び記述されることはない。
【０１０２】
本発明で提供された実施例では、開示される装置および方法は、他の方法で実施され得ることを理解するべきである。例えば、上記の装置の実施例は、単に例示的なものである。例えば、ユニットの分割は、ロジック機能の分割にすぎず、実際の実現中では他の分割方式が存在する場合があり、例えば、複数のユニットまたはコンポーネントを他のシステムに集成するか統合することができ、または、一部の特徴を無視することができ、または実行しないこともできる。さらに、表示または議論されている相互結合または直接結合または通信接続は、いくつかのインターフェース、装置、またはユニットを介した間接結合または通信接続であってもよく、電気的、機械的または他の形態であってもよい。
【０１０３】
前記分離部品として説明されているユニットは、物理的に分離されてもよく、非物理的に分離されてもよい。ユニット表示部品としては、物理的ユニットであってもよく、非物理的ユニットであってもよい、すなわち、同じ所に配置されてもよく、複数のネットワークユニットに配置されてもよい。実際の必要性に従って、ユニットのいくつかまたはすべてを選択して本実施例の解決策の目的を達成することができる。
【０１０４】
さらに、本発明の各実施例における各機能ユニットは１つの処理ユニットに集成してもよく、または、各機能ユニットは物理的に単独で存在してもよく、または二つ以上のユニットは１つのユニットに集成してもよい。
【０１０５】
上記の機能がソフトウェア機能ユニットの形態で実現され、独立した製品として販売または使用される場合、１つのコンピュータの読み取り可能な記憶媒体に記憶されてもよい。このような理解に基づいて、本発明の技術的なソリューションの本質または先行技術に寄与する部分または本技術的なソリューションの一部は、ソフトウェア製品の形で体現することができ、このコンピュータソフトウェア製品が１つの記憶媒体に収納されて、コンピュータ装置（パーソナルパソコン、サーバ、またはネットワーク装置などであり得る）を本発明の各実施例の記載方法のステップの全部または一部を実行させるためのいくつかの命令を含む。上記の記憶媒体は、Ｕディスク、リムーバブルハードディスク、ＲＯＭ、ＲＡＭ、磁気ディスク、または光ディスクなど各種のプログラムコードを記憶することができる媒体を含む。
【０１０６】
なお、本開示に記述されたこれらの実施形態は、ハードウェア、ソフトウェア、ファームウェア、ミドルウェア、マイクロコードまたはこれらの組み合わせによって実現可能である点が理解される。ハードウェア実装の場合、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理装置（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコンピュータ、マイクロプロセッサ、および本開示に記載の機能を実行するためのその他電子ユニットまたはその組み合わせに実装できる。
【０１０７】
ソフトウェアの実装については、本開示の実施形態に記載される技術は、本開示の実施形態に記載される機能を実行するモジュール（例えば、プロセス、ファンクションなど）を介して実施され得る。ソフトウェアコードは、メモリに保存して、プロセッサで実行することができる。メモリは、プロセッサ内またはプロセッサ外部で実行することができる。
【０１０８】
当業界の一般の技術者は、上記の実施例の方法のすべてまたは一部のフローを実現することは、コンピュータプログラムによって関連するハードウェアを制御することによって遂行可能であり、上記のプログラムは、コンピュータ読取可能記憶媒体に記憶されてもよく、実行時には、上記の各方法の実施例のプロセスを含むことができることを理解することができる。そのうち、上記の記憶媒体は、磁気ディスク、光ディスク、ＲＯＭ、またはＲＡＭなどとすることができる。
【０１０９】
本開示の実施形態は、添付の図面を参照して以上に記載されているが、本開示は、上記の特定の実施形態に限定されない。上記の特定の実施形態は、例示にすぎず、限定的ではない。当業者は、本開示の示唆の下で、本開示の旨および特許請求の範囲から逸脱することなく、多くの形態を作成することができ、これらはすべて本開示の請求の範囲内にある。
【０１１０】
〔関連出願の相互参照〕
本出願は、２０１８年９月２６日に中国で提出された中国特許出願第２０１８１１１２６００５．３号の優先権を主張し、その全内容は参照によりここに援用される。
【図１】
2022501942.tif 000003
【図２】
2022501942.tif 000004
【図３】
2022501942.tif 000005
【図４】
2022501942.tif 000006
【図５】
2022501942.tif 000007
【図６】
2022501942.tif 000008
【図７】
2022501942.tif 000009
【図８】
2022501942.tif 000010
【図９】
2022501942.tif 000011
【手続補正書】
【提出日】令和3年3月26日(2021.3.26)
【手続補正１】
【補正対象書類名】明細書
【補正対象項目名】００１５
【補正方法】変更
【補正の内容】
【００１５】
【図１】図１は、本開示によるリソース割り当て方法のフローチャートの第１の模式図である。
【図２】図２は、本開示によるリソース割り当て方法の第１の模式図である。
【図３】図３は、本開示によるリソース割り当て方法の第２の模式図である。
【図４】図４は、本開示によるリソース割り当て方法の第３の模式図である。
【図５】図５は、本開示によるリソース割り当て方法のフローチャートの第２の模式図である。
【図６】図６は、本開示による受信側装置の第１の構造図である。
【図７】図７は、本開示による送信側装置の第１の構造図である。
【図８】図８は、本開示による受信側装置の第２の構造図である。
【図９】図９は、本開示による送信側装置の第２の構造図である。
【手続補正２】
【補正対象書類名】明細書
【補正対象項目名】００１７
【補正方法】変更
【補正の内容】
【００１７】
以下に、本開示の実施形態における技術案は、本開示の実施形態における添付の図面を参照して明確に説明される。明らかに、説明される実施形態は、本開示の実施形態の一部であり、すべての実施形態ではない。本開示の実施形態に基づいて、当業者によって得られる他のすべての実施形態は、本開示の保護範囲に含まれる。
【手続補正３】
【補正対象書類名】特許請求の範囲
【補正対象項目名】全文
【補正方法】変更
【補正の内容】
【特許請求の範囲】
【請求項１】
受信側装置に適用されるリソース割り当て方法であって、前記リソース割り当て方法は、
送信側装置からのリソース設定情報を受信することを含み、前記リソース設定情報は、設定されたリソースのうち、使用を取り消される必要のあるリソースを決定するように前記受信側装置に使用される、方法。
【請求項２】
前記使用を取り消される必要のあるリソースは、前記設定されたリソースのうち、前記受信側装置への設定が取り消されるリソースであり、
前記リソース設定情報は、
前記受信側装置への設定が取り消される時間領域リソースおよび／または周波数領域リソースを示すための情報、
前記受信側装置への設定が取り消されるリソースの開始時刻または終了時刻を示すための情報、
前記受信側装置への設定が取り消されるリソースに対応するリソースサイクルの数を示すための情報、
前記受信側装置への設定が取り消されるリソースの数を示すための情報、
前記受信側装置への設定が取り消されるリソースによって占有されるシンボルまたはタイムスロットの数を示すための情報、および、
前記受信側装置への設定が取り消されるリソースによって占有されるシンボルが配置されている帯域幅部パートＢＷＰまたはキャリアを示すための情報、の少なくとも１つを含む、請求項１に記載の方法。
【請求項３】
前記リソース設定情報は、前記送信側装置が使用を取り消すリソースを示すためであり、
前記リソース設定情報は、
前記送信側装置が使用を取り消す時間領域リソースおよび／または周波数領域リソースを示すための情報、
前記送信側装置が使用を取り消すリソースの開始時刻または終了時刻を示すための情報、
前記送信側装置が使用を取り消すリソースに対応するリソースサイクルの数を示すための情報、
前記送信側装置が使用を取り消すリソースの数を示すための情報、
前記送信側装置が使用を取り消すリソースによって占有されるシンボルまたはタイムスロットの数を示すための情報、および、
前記送信側装置が使用を取り消すリソースによって占有されるシンボルが配置されている帯域幅部パートＢＷＰまたはキャリアを示すための情報、の少なくとも１つを含む、請求項１に記載の方法。
【請求項４】
前記使用を取り消される必要のあるリソースは、目標ハイブリッド自動再送要求ＨＡＲＱプロセスに割り当てられている、請求項１に記載の方法。
【請求項５】
前記リソース設定情報は、前記目標ＨＡＲＱプロセスのシーケンス番号を示すための情報を含む、請求項４に記載の方法。
【請求項６】
前記使用を取り消される必要のあるリソースは、前記設定されたリソースのうち、シフトする必要のあるリソースであり、
前記リソース設定情報は、
シフトする必要のある時間領域リソースおよび／または周波数領域リソースを示すための情報、
シフトする必要のあるリソースの開始時刻または終了時刻を示すための情報、
シフトする必要のあるリソースのシフト先の時間領域リソースまたは周波数領域リソースを示すための情報、
シフトする必要のあるリソースに対応するリソースサイクルの数を示すための情報、
シフトする必要のあるリソースの数を示すための情報、
シフトする必要のあるリソースによって占有されるシンボルまたはタイムスロットの数を示すための情報、および、
シフトする必要のあるリソースによって占有されるシンボルが配置されている帯域幅部パートＢＷＰまたはキャリアを示すための情報、の少なくとも１つを含む、請求項１に記載の方法。
【請求項７】
前記リソース設定情報は、前記送信側装置がシフトするリソースを示すためであり、
前記リソース設定情報は、
前記送信側装置がシフトする時間領域リソースおよび／または周波数領域リソースを示すための情報、
前記送信側装置がシフトするリソースの開始時刻または終了時刻を示すための情報、
前記送信側装置がシフトするリソースのシフト先の時間領域リソースまたは周波数領域リソースを示すための情報、
前記送信側装置がシフトするリソースに対応するリソースサイクルの数を示すための情報、
前記送信側装置がシフトする必要のあるリソースの数を示すための情報、
前記送信側装置がシフトするリソースによって占有されるシンボルまたはタイムスロットの数を示すための情報、および、
前記送信側装置がシフトするリソースによって占有されるシンボルが配置されている帯域幅部パートＢＷＰまたはキャリアを示すための情報、の少なくとも１つを含む、請求項１に記載の方法。
【請求項８】
前記送信側装置にフィードバック情報を送信することをさらに含み、前記フィードバック情報は、前記受信側装置が前記リソース設定情報を正常に受信したことを確定するように前記送信側装置に使用される、請求項１〜７の何れか１項に記載の方法。
【請求項９】
前記受信側装置は、サイドリンクＳｉｄｅｌｉｎｋにおける受信端末装置ＵＥであり、前記送信側装置は、Ｓｉｄｅｌｉｎｋにおける送信ＵＥである、または、
前記受信側装置はＳｉｄｅｌｉｎｋにおける送信ＵＥであり、前記送信側装置はネットワーク装置またはＳｉｄｅｌｉｎｋにおけるリソース割り当てＵＥである、請求項１〜７の何れか１項に記載の方法。
【請求項１０】
送信側装置に適用されるリソース割り当て方法であって、前記リソース割り当て方法は、
受信側装置にリソース設定情報を送信することを含み、前記リソース設定情報は、設定されたリソースのうち、使用を取り消される必要のあるリソースを決定するように受信側装置に使用される、方法。
【請求項１１】
前記受信側装置からのフィードバック情報を受信することをさらに含み、前記フィードバック情報は、前記受信側装置がリソース設定情報を正常に受信したことを確定するように前記送信側装置に使用される、請求項１０に記載の方法。
【請求項１２】
受信側装置であって、
送信側装置からのリソース設定情報を受信するためのトランシーバモジュールを備え、前記リソース設定情報は、設定されたリソースのうち、使用を取り消される必要のあるリソースを決定するように前記受信側装置に使用される、装置。
【請求項１３】
送信側装置であって、
受信側装置にリソース設定情報を送信するためのトランシーバモジュールを備え、前記リソース設定情報は、設定されたリソースのうち、使用を取り消される必要のあるリソースを決定するように前記受信側装置に使用される、装置。
【請求項１４】
プロセッサ、メモリ、および前記メモリに格納され、前記プロセッサで実行可能なコンピュータプログラムを備え、前記コンピュータプログラムは前記プロセッサによって実行されると、請求項１〜９のいずれか１項に記載のリソース割り当て方法のステップを実施する受信側装置。
【請求項１５】
プロセッサ、メモリ、および前記メモリに格納され、前記プロセッサで実行可能なコンピュータプログラムを備え、前記コンピュータプログラムは前記プロセッサによって実行されると、請求項１０または請求項１１に記載のリソース割り当て方法のステップを実施する送信側装置。
【請求項１６】
プロセッサによって実行されると、請求項１〜１１のいずれか１項に記載のリソース割り当て方法のステップを実施させるコンピュータプログラムが記憶されたコンピュータ可読記憶媒体。
【国際調査報告】
2022501942.tif 000012
2022501942.tif 000013
2022501942.tif 000014
2022501942.tif 000015
2022501942.tif 000016